(57)【要約】      （修正有）【課題】天板に配設された蓋部を開放した状態で、作業スペースを確保することができる冷却冷蔵庫を提供する【解決手段】冷蔵庫１０は、上下に貫通する開口部２７が設けられた上壁を有する冷蔵室１４と、上壁の上方に配されると共に開口部２７と対応する位置に上下に貫通する窓部３６を有する天板３５と、上壁と天板３５との間に配されて窓部３６を塞ぐ閉鎖位置と、窓部３６を開放する開放位置との間をスライド移動可能な蓋部と、を備え、蓋部が開放位置に移動した状態で、蓋部は天板３５のうち窓部３６と異なる領域の下方に位置する。【選択図】図５
2018204918.tif 000002
【特許請求の範囲】
【請求項１】
上下に貫通する開口部が設けられた上壁を有する冷蔵室と、
前記上壁の上方に配されると共に前記開口部と対応する位置に上下に貫通する窓部を有する天板と、
前記上壁と前記天板との間に配されて前記窓部を塞ぐ閉鎖位置と、前記窓部を開放する開放位置との間をスライド移動可能な蓋部と、を備え、
前記蓋部が前記開放位置に移動した状態で、前記蓋部は前記天板のうち前記窓部と異なる領域の下方に位置する冷却冷蔵庫。
【請求項２】
前記天板の下方にはフレームが配されており、
前記フレームには、前記天板のうち前記窓部と異なる領域の下方の位置に、補強部が設けられている、請求項１に記載の冷却冷蔵庫。
【請求項３】
前記フレームは、前記蓋部を前記閉鎖位置と前記開放位置との間をスライド移動させるレールを備える、請求項２に記載の冷却冷蔵庫。
【請求項４】
前記窓部と前記開口部と前記冷蔵室の内部とを連通する空間には、前記フレームの下端部との間に第１隙間を有して配された第１部材と、前記第１部材の下端部との間に第２隙間を有して配された第２部材と、が配設されており、
少なくとも前記第２部材の下端部は前記冷蔵室の内部に位置している、請求項２または請求項３に記載の冷却冷蔵庫。
【請求項５】
前記第１隙間は、前記蓋部を前記閉鎖位置と前記開放位置との間をスライド移動させる合成樹脂製のレールで塞がれている、請求項４に記載の冷却冷蔵庫。
【請求項６】
前記第２隙間は、合成樹脂製の開口枠によって塞がれている、請求項４または請求項５に記載の冷却冷蔵庫。
【発明の詳細な説明】
【技術分野】
【０００１】
本発明は、冷却貯蔵庫に関する。
【背景技術】
【０００２】
従来、冷却冷蔵庫の天板に、冷却冷蔵庫の内部と連通する開口部を設け、この開口部内に冷蔵容器を配置するものが、特許文献１に記載されている。冷蔵容器内には食品が収容されるようになっている。冷却冷蔵庫の天板にはヒンジが取り付けられており、このヒンジによって、冷蔵容器を塞ぐ蓋部が、冷却冷蔵庫の天板に開閉自在に取り付けられている。
【先行技術文献】
【特許文献】
【０００３】
【特許文献１】実開昭６４−８１９０号公報
【発明の概要】
【発明が解決しようとする課題】
【０００４】
しかしながら、上記の構成によれば、ヒンジを回動中心として蓋部を上方に跳ね上げて開口部を開放させた場合に、蓋部は、冷却冷蔵庫の天板の上方に突出した状態になる。この状態では、天板の上で作業をする際に、天板の上方に突出した蓋部が、作業の邪魔になる虞がある。これにより、作業スペースを十分に確保できないという問題があった。
【０００５】
本発明は上記のような事情に基づいて完成されたものであって、天板に配設された蓋部を開放した状態で、作業スペースを確保することができる冷却冷蔵庫を提供することを目的とする。
【課題を解決するための手段】
【０００６】
上記課題を解決するために、本発明の冷却冷蔵庫は、上下に貫通する開口部が設けられた上壁を有する冷蔵室と、前記上壁の上方に配されると共に前記開口部と対応する位置に上下に貫通する窓部を有する天板と、前記上壁と前記天板との間に配されて前記窓部を塞ぐ閉鎖位置と、前記窓部を開放する開放位置との間をスライド移動可能な蓋部と、を備え、前記蓋部が前記開放位置に移動した状態で、前記蓋部は前記天板のうち前記窓部と異なる領域の下方に位置する。上記の構成によれば、蓋部を開放位置に移動させた状態で、蓋部は天板のうち窓部と異なる領域の下方にスライド移動しているので、天板の上面のうち窓部と異なる領域を作業スペースとして利用することができる。これにより、天板に配設された蓋部を開放した状態で、作業スペースを確保することができる。
【０００７】
また、前記天板の下方にはフレームが配されており、前記フレームには、前記天板のうち前記窓部と異なる領域の下方の位置に、補強部が設けられている構成とすることができる。上記の構成によれば、天板の上面のうち、窓部と異なる領域で作業を行った場合でも、天板が下方に変形する等の不具合が生じることを抑制することができる。
【０００８】
また、前記フレームは、前記蓋部を前記閉鎖位置と前記開放位置との間をスライド移動させるレールを備える構成とすることができる。上記の構成によれば、蓋部が、閉鎖位置と開放位置との間を容易に移動することができる。
【０００９】
また、前記窓部と前記開口部と前記冷蔵室の内部とを連通する空間には、前記フレームの下端部との間に第１隙間を有して配された第１部材と、前記第１部材の下端部との間に第２隙間を有して配された第２部材と、が配設されており、少なくとも前記第２部材の下端部は前記冷蔵室の内部に位置している構成とすることができる。上記の構成によれば、冷蔵室の内部に位置している第２部材と第１部材との間には第２隙間が設けられているので、冷蔵室の内部で冷却された第２部材の下端部から、第１部材へと冷気が伝達されることが抑制される。また、第１部材とフレームとの間には第１隙間が設けられているので、第１部材からフレームへと冷気が伝達されることが抑制される。これにより、天板の下方に配されたフレームから蓋部及び天板へと冷気が伝達されることが抑制される。この結果、天板及び蓋部が結露することが抑制される。
【００１０】
また、前記第１隙間は、前記蓋部を前記閉鎖位置と前記開放位置との間をスライド移動させる合成樹脂製のレールで塞がれている構成とすることができる。上記の構成によれば、合成樹脂製のレールによって、第１部材からフレームへと冷気が伝達されることが抑制されるので、天板及び蓋部が結露することを一層抑制することができる。
【００１１】
また、前記第２隙間は、合成樹脂製の開口枠によって塞がれている構成とすることができる。上記の構成によれば、合成樹脂製の開口枠によって、第２部材から第１部材へと冷気が伝達されることが抑制されるので、天板及び蓋部が結露することを一層抑制することができる。
【発明の効果】
【００１２】
本発明によれば、天板に配設された蓋部を開放した状態で、作業スペースを確保することができることができる。
【図面の簡単な説明】
【００１３】
【図１】実施形態１に係る冷蔵庫の斜視図
【図２】冷蔵庫の分解斜視図
【図３】図４におけるＩＩＩ−ＩＩＩ線断面図
【図４】冷蔵庫の断面図
【図５】冷蔵庫の一部切欠断面斜視図
【図６】図５とは異なる視点から見た冷蔵庫の一部切欠断面斜視図
【図７】図６の一部拡大図
【図８】冷蔵庫の一部拡大断面図
【発明を実施するための形態】
【００１４】
＜実施形態１＞
本発明を冷蔵庫１０（冷却冷蔵庫の一例）に適用した実施形態１を図１から図８に基づいて説明する。この実施形態では、アイスクリームの冷蔵、及びトッピング作業を行う冷蔵庫１０を例示している。以下の説明においては、Ｚ方向を上方とし、Ｙ方向を前方とし、Ｘ方向を右方として説明する。まず、冷蔵庫１０の全体構造を説明する。図１に示すように、冷蔵庫１０は断熱箱体３４を有し、断熱箱体３４は、下面の四隅に設けられた脚１１で支持されている。図３に示すように、断熱箱体３４は、正面から見た左側に機械室１２を有し、この機械室１２の内部には、冷凍ユニット１３が収容されている。断熱箱体３４は、正面から見た右側に、前面に開口する冷蔵室１４を有する。冷蔵室１４の前面には、断熱扉１５が装着されている。断熱箱体３４を構成する断熱壁の内部には断熱材１６が埋設されている。
【００１５】
機械室１２内の上部にはファン１７が配設されており、機械室１２の下部には冷凍ユニット１３が配設されている。冷凍ユニット１３及びファン１７が駆動されると、冷蔵室１４の上部において、冷気が左から右へと噴出されるようになっている。ファン１７の右方には後述する冷蔵容器１８が配されている。これにより、ファン１７によって噴出される冷気が冷蔵容器１８に当たるようになっている。
【００１６】
図４に示すように、冷蔵室１４の内部には、複数（本実施形態では２つ）の棚板１９が、上下方向に間隔を空けて配設されている。棚板１９は、冷蔵室１４の平断面の略全域にわたって張られるようになっている。各棚板１９は、ステンレス製であって、前後方向に延びる複数本の棒材２０が間隔を空けて左右方向に並んで配されている。棒材２０は、左右方向に張り渡された複数の桟部２１によって支持されている。棚板１９は、棒材２０、及び桟部２１によって構成されることにより、上下方向に冷気が流通可能に形成されている。
【００１７】
冷蔵室１４の内部であって、ファン１７の右方の位置には、アイスクリームが収容された複数（本実施形態では３つ）の冷蔵容器１８が、前後方向に間隔を空けて配されている。冷蔵容器１８は、上面が開口された箱状をなしている。図５に示すように、冷蔵容器１８は、上方から見て、左右方向にやや細長い形状をなすと共に、上端部に比べて下端部がやや窄まった形状をなしている。冷蔵室１４の内部であって、上部寄りの位置には、冷蔵容器１８を支持する冷蔵容器棚２２が配されている。冷蔵容器棚２２はステンレス鋼板製であって、上下に貫通する複数の貫通孔２３が形成されている。貫通孔２３の断面形状は略円形状をなしている。冷蔵容器棚２２の４つの側縁は、下方に曲げ形成されている。冷蔵容器棚２２は、冷蔵室１４の内壁から突出する受け部２４の上に載置されている。
【００１８】
図５及び図６に示すように、冷蔵容器棚２２の上方には、前後方向に間隔を空けて並ぶ複数（本実施形態では３つ）の収容孔２５を有するセパレータ２６が配されている。各収容孔２５には各冷蔵容器１８が収容可能になっている。セパレータ２６は、ステンレス鋼板製であって、浅い皿状をなしている。セパレータ２６の側縁は、後述する開口部２７の内壁に固定されている。
【００１９】
図２に示すように、断熱箱体３４は、冷蔵室１４に対応する位置に、上下に貫通する開口部２７が設けられている。換言すると、冷蔵室１４は上壁２８を有し、この上壁２８は上下に開口する開口部２７を有する。開口部２７は、上方から見て、前後方向に細長い長方形状をなしている。図７及び図８に示すように、開口部２７の開口縁部には、第１部材２９が取り付けられている。第１部材２９は金属製であって、断面が略Ｌ字状をなしている。第１部材２９の上端部は冷蔵室１４の外側に位置しており、第１部材２９の下端部は冷蔵室１４の内側に位置している。第１部材２９の下方には、上下方向に間隔を空けて、金属製の第２部材３０が配されている。第１部材２９の下端部と、第２部材３０の上端部との間は、第２隙間３１とされる。第２部材３０の断面形状は略Ｌ字状をなしている。第２部材３０は冷蔵室１４の内部に配されている。
【００２０】
第１部材２９の下端部と、第２部材３０の上端部との間に設けられた第２隙間３１は、合成樹脂製の開口枠３２が、第２隙間３１に嵌合されることにより塞がれている。開口枠３２は、第１部材２９及び第２部材３０に対して冷蔵室１４の内方に配されている。開口枠３２のうち、冷蔵室１４の外側に位置する面には、２つのリブ３３Ａ，３３Ｂが上下方向に間隔を空けて突出して形成されている。上側に位置するリブ３３Ａは、第１部材２９の下端部よりもやや下方に位置するようになっており、下側に位置するリブ３３Ｂは、第２部材３０の上端部よりもやや上方に位置するようになっている。
【００２１】
冷蔵容器１８は、セパレータ２６の収容孔２５内に収容され、且つ、冷蔵容器棚２２の上に載置された状態では、冷蔵容器１８の上端部が上壁２８よりも下方に位置するようになっている。換言すると、冷蔵容器１８は冷蔵室１４内に位置するようになっている。
【００２２】
断熱箱体３４の上部には、天板３５が取り付けられている。天板３５はステンレス鋼板製であって、下方に開口する浅い皿状をなしている。天板３５には、上方から見て右側の領域に、上下方向に貫通する窓部３６が形成されている。窓部３６は前後方向に細長い長方形状をなしている。窓部３６は、天板３５が断熱箱体３４に取り付けられた状態で、開口部２７と対応する位置に形成されている。これにより、冷蔵室１４の内部と外部とが、窓部３６及び開口部２７を介して連通されている。換言すると、窓部３６と開口部２７と冷蔵室１４の内部とが連通されている。
【００２３】
天板３５の下方には板状をなす蓋部３７が配されている。蓋部３７は比較的に薄い板状をなしている。蓋部３７は、窓部３６を塞ぐ閉鎖位置（図１参照）と、窓部３６を開放する開放位置（図５参照）との間をスライド移動可能に配されている。蓋部３７の上面には、右端部寄りの位置に、作業者が蓋部３７に手指を引っ掛けるための指かけ部３８が設けられている。蓋部３７が天板３５の右端部に配された状態は、蓋部３７が天板３５の窓部３６を塞ぐ閉鎖位置とされており、蓋部３７を左方に移動させて、天板３５のうち窓部３６と異なる領域の下方に移動させた状態では、窓部３６が開放された開放位置とされる。天板３５と、断熱箱体３４の上面との間隔は、少なくとも蓋部３７の上下方向に厚さ寸法よりも大きく設定されている。これにより、天板３５のうち窓部３６の異なる領域と、断熱箱体３４の上面との間には、蓋部３７が収容可能な収容空間３９が形成されている。
【００２４】
図２に示すように、天板３５と、断熱箱体３４の上面との間には、ステンレス鋼製のフレーム４０が配されている。フレーム４０は、天板３５よりもやや小さな長方形状をなしている。フレーム４０は、左右方向に延びる一対の長辺部４０Ａと、長辺部４０Ａの左右両端部を連結する一対の短辺部４０Ｂと、を有する。フレーム４０の左半分には、前後方向に延びると共に左右方向に間隔を空けて並ぶ複数の補強部材４１が設けられている。複数の補強部材４１は、２つの長辺部４０Ａの間に架け渡されるように配されている。補強部材４１は、前後方向に延びる柱状をなしている。補強部材４１は、天板３５の下面に下方から当接していてもよい。また、補強部材４１は、常には天板３５の下面から離間していて、天板３５が上方から押圧されたときに天板３５を下方から支持するようになっていてもよい。
【００２５】
フレーム４０の上端縁は、外方に折り曲げられている。一方、フレーム４０の下端縁は内方に折り曲げられている。これにより、フレーム４０の断面形状はクランク状をなしている。フレーム４０の下端部は、断熱箱体３４の上面と接触している。また、フレーム４０の下端縁と、第１部材２９の上端縁との間には、第１隙間４２が形成されている。
【００２６】
図８に示すように、フレーム４０の長辺部４０Ａの下端部の上面と、第１部材２９の上端部の上面には、合成樹脂製のレール４３が配されている。このレール４３によって、第１隙間４２が上方から塞がれている。レール４３の上部には、上記した蓋部３７が載置されている。レール４３は比較的に摩擦係数が小さな合成樹脂により形成されており、これにより、蓋部３７は、レール４３上を、閉鎖位置と開放位置との間を容易に移動可能になっている。レール４３を構成する合成樹脂としては、ポリエチレン、ポリプロピレン等のポリオレフィン、ポリブ３３チレンテレフタレート等のポリエチレン、６，６−ナイロン等のポリアミド、ポリテトラフルオロエチレン等のフッ素樹脂等、必要に応じて任意の材料を適宜に選択できる。
【００２７】
図２及び図５に示すように、フレーム４０の補強部材４１は、天板３５の下方であって、窓部３６が設けられた領域と異なる位置に配されている。天板３５の上面のうち、窓部３６と異なる領域であって、補強部材４１が配された領域は、アイスクリームにトッピングを施すための作業台４４とされる。
【００２８】
次に、本実施形態の作用について説明する。アイスクリームを冷蔵するには、蓋部３７を開放位置にまで移動させて窓部３６を開放した後、冷蔵容器１８を窓部３６、開口部２７さらには収容孔２５を通して、冷蔵容器棚２２で受ける。これにより、冷蔵容器１８は冷蔵室１４内に配され、ファン１７の右方に臨んだ位置に配される。その後、蓋部３７を閉鎖位置にまで移動させて窓部３６を閉鎖する。この状態で冷凍ユニット１３及びファン１７を駆動すると、冷気がファン１７から冷蔵室１４内に吹き出され、冷蔵容器１８に当たる。これにより、冷蔵容器１８内のアイスクリームが冷却される。
【００２９】
アイスクリームを調製する場合は、まず、閉鎖位置にある蓋部３７を開放位置にまで移動させる。次に、開放された窓部３６から、冷蔵容器１８内から必要量だけアイスクリームを取り出し、カップ、皿、コーン等に載せる。その後、作業台４４の上で、トッピングを施し、客に提供する。最後に、蓋部３７を開放位置から閉鎖位置に移動させて、窓部３６を蓋部３７によって塞ぐ。
【００３０】
本実施形態によれば、以下のような効果を得ることができる。本実施形態によれば、冷蔵庫１０は、上下に貫通する開口部２７が設けられた上壁２８を有する冷蔵室１４と、上壁２８の上方に配されると共に開口部２７と対応する位置に上下に貫通する窓部３６を有する天板３５と、上壁２８と天板３５との間に配されて窓部３６を塞ぐ閉鎖位置と、窓部３６を開放する開放位置との間をスライド移動可能な蓋部３７と、を備え、蓋部３７が開放位置に移動した状態で、蓋部３７は天板３５のうち窓部３６と異なる領域の下方に位置するようになっている。これにより、蓋部３７を開放位置に移動させた状態で、蓋部３７は天板３５のうち窓部３６と異なる領域の下方にスライド移動しているので、天板３５の上面のうち窓部３６と異なる領域を作業台４４とし、作業スペースとして利用することができる。これにより、天板３５に配設された蓋部３７を開放した状態で、作業スペースを確保することができる。
【００３１】
また、本実施形態によれば、天板３５の下方にはフレーム４０が配されており、フレーム４０には、天板３５のうち窓部３６と異なる領域の下方の位置に、補強部材４１が設けられている。これにより、天板３５の上面のうち、窓部３６と異なる領域で作業を行った場合でも、天板３５が下方に変形する等の不具合が生じることを抑制することができる。
【００３２】
また、本実施形態によれば、フレーム４０は、蓋部３７を閉鎖位置と開放位置との間をスライド移動させるレール４３を備える。これにより、蓋部３７が、閉鎖位置と開放位置との間を容易に移動することができる。
【００３３】
また、本実施形態によれば、窓部３６と開口部２７と冷蔵室１４の内部とを連通する空間には、フレーム４０の下端部との間に第１隙間４２を有して配された第１部材２９と、第１部材２９の下端部との間に第２隙間３１を有して配された第２部材３０と、が配設されており、少なくとも第２部材３０の下端部は冷蔵室１４の内部に位置している。本実施形態においては、第２部材３０は、その全体が冷蔵室１４の内部に配されている。これにより、冷蔵室１４の内部に位置している第２部材３０と第１部材２９との間には第２隙間３１が設けられているので、冷蔵室１４の内部で冷却された第２部材３０から、第１部材２９へと冷気が伝達されることが抑制される。また、第１部材２９とフレーム４０との間には第１隙間４２が設けられているので、第１部材２９からフレーム４０へと冷気が伝達されることが抑制される。これにより、天板３５の下方に配されたフレーム４０から蓋部３７及び天板３５へと冷気が伝達されることが抑制される。この結果、天板３５及び蓋部３７が結露することが抑制される。
【００３４】
また、本実施形態によれば、第１隙間４２は、蓋部３７を閉鎖位置と開放位置との間をスライド移動させる合成樹脂製のレール４３で塞がれている。上記の構成によれば、合成樹脂製のレール４３によって、第１部材２９からフレーム４０へと冷気が伝達されることが抑制されるので、天板３５及び蓋部３７が結露することを一層抑制することができる。また、本実施形態によれば、第２隙間３１は、合成樹脂製の開口枠３２によって塞がれている。これにより、合成樹脂製の開口枠３２によって、第２部材３０から第１部材２９へと冷気が伝達されることが抑制されるので、天板３５及び蓋部３７が結露することを一層抑制することができる。
【００３５】
＜他の実施形態＞
本発明は上記記述及び図面によって説明した実施形態に限定されるものではなく、例えば次のような実施形態も本発明の技術的範囲に含まれる。
（１）本実施形態においては、冷蔵室１４は１つの断熱扉１５で開閉される構成としたが、これに限られず、冷蔵室１４は観音開き構造を有する一対の断熱扉１５で開閉される構成としてもよい。
（２）蓋部３７は、天板３５の左方に位置する場合が閉鎖位置で、右方に位置する場合が開放位置であってもよい。また、蓋部３７は、天板３５の前方に位置する場合が閉鎖位置で、後方に位置する場合が開放位置であってもよい。
（３）本実施形態においては、冷蔵容器１８にはアイスクリームが収容される構成としたが、これに限られず、冷蔵容器１８には、シャーベット、ヨーグルト等の冷菓や、他の保冷物が収容される構成としてもよい。
（４）本実施形態では、冷蔵庫１０には３つの冷蔵容器１８が配設される構成としたが、これに限られず、冷蔵庫１０には、１つ、２つ、又は４つ以上の冷蔵容器１８が配設される構成としてもよい。
（５）本実施形態では、フレーム４０、第１部材２９、及び第２部材３０は、異なる部材としたが、これに限られず、フレーム４０と第１部材３０とは同一部材であってもよく、また、第１部材２９と第２部材３０とは同一部材であってもよく、また、フレーム４０、第１部材２９、及び第２部材３０は同一部材であってもよい。
【符号の説明】
【００３６】
１０：冷蔵庫、１４：冷蔵室、２７：開口部、２８：上壁、２９：第１部材、３０：第２部材、３１：第２隙間、３２：開口枠、３５：天板、３６：窓部、３７：蓋部、４０：フレーム、４１：補強部材、４２：第１隙間、４３：レール
【図１】
2018204918.tif 000003
【図２】
2018204918.tif 000004
【図３】
2018204918.tif 000005
【図４】
2018204918.tif 000006
【図５】
2018204918.tif 000007
【図６】
2018204918.tif 000008
【図７】
2018204918.tif 000009
【図８】
2018204918.tif 000010